(57)【要約】【課題】室内に於けるインテリアの設置計画を行う計画者に、その設置診断や設置計画を支援するシステムを提供することを目的とする。【解決手段】計画端末装置からの指定条件に基づいて、該当する室内画像情報とインテリア画像情報とを検索して３Ｄ室内画像と３Ｄインテリア画像とを画面上に表示し、その中から選択した３Ｄインテリア画像の種類を指定すると共に、３Ｄ室内画像を所定の位置に移動させる指定を行って画面上に表示するレイアウト設計手段と、レイアウト設計手段で３Ｄインテリア画像を移動させた後の３Ｄインテリア画像の方位と指定した種類に基づいて判定情報を検索し、該当する判定結果をその画面上に表示する判定手段とを備えることを特徴とする。【選択図】図１
2005063059.tif 000002
【特許請求の範囲】
【請求項１】
室内に於けるインテリアの設置計画を行う計画者側が備える計画端末装置に、通信ネットワークを介してこの支援システムの運営機関側が備える計画支援装置を接続することで、前記計画者の前記設置計画を支援するシステムであって、
前記計画支援装置は、前記室内に前記インテリアを設置する前の３Ｄ室内画像と前記室内の方位とを含む室内画像情報と、前記室内に設置する３Ｄインテリア画像とその形の種類、色の種類、模様の種類の内、１つ以上の種類とを含むインテリア画像情報と、前記インテリアを設置した方位毎、設置位置毎、及び前記種類毎にその設置計画を判定する判定基準とその判定結果とを含む風水術に基づいた判定情報とを少なくとも登録したデータベースと、
前記計画端末装置からの指定条件に基づいて、該当する前記室内画像情報と前記インテリア画像情報とを検索して前記３Ｄ室内画像と前記３Ｄインテリア画像とを画面上に表示し、その中から選択した前記３Ｄインテリア画像の前記種類を指定すると共に、前記３Ｄ室内画像の所定の位置に移動させる指定を行って画面上に表示するレイアウト設計手段と、
前記レイアウト設計手段で前記３Ｄインテリア画像を移動させた後の前記３Ｄインテリア画像の前記方位と前記設置位置と指定した前記種類に基づいて前記判定情報を検索し、該当する前記判定結果をその画面上に表示する判定手段とを少なくとも備えることを特徴とする、インテリア設置計画支援システム。
【請求項２】
前記３Ｄ室内画像は、出入り口部、窓部、収納部を含み、
前記計画支援装置は、前記レイアウト設計手段で前記３Ｄ室内画像を画面上に表示した後に、前記出入り口部、前記窓部、前記収納部の何れかを、所定の位置に移動、又は拡大、又は縮小、又は削除する範囲を指定して、これらの変更した３Ｄ室内画像を画面上に表示する画像変更手段を更に備えることを特徴とする、請求項１に記載のインテリア設置計画支援システム。
【請求項３】
前記計画支援装置は、前記レイアウト設計手段で前記３Ｄ室内画像又は、前記３Ｄインテリア画像を画面上に表示した後に、その３Ｄ室内画像、又は、３Ｄインテリア画像を拡大、又は縮小する範囲を指定して、拡大、又は縮小した３Ｄ室内画像、又は、３Ｄインテリア画像を画面上に表示する画像拡大縮小手段と、
前記３Ｄ室内画像又は、前記３Ｄインテリア画像を３６０度以内の範囲で回転させる範囲を指定して、回転した３Ｄ室内画像、又は、３Ｄインテリア画像を画面上に表示する画像回転手段とを更に備えることを特徴とする、請求項１、又は請求項２に記載のインテリア設置計画支援システム。
【請求項４】
前記画像拡大縮小手段は、前記３Ｄインテリア画像を拡大、又は縮小して画面上に表示する際に、拡大、又は縮小した前記インテリアのサイズを表示するサイズ表示手段を含むことを特徴とする、請求項１乃至請求項３の何れか１項に記載のインテリア設置計画支援システム。
【請求項５】
前記判定情報は、前記判定結果に対する吉、凶を区分した判定区分を更に含み、
前記計画支援装置は、前記計画端末装置からの指定条件に基づいて、該当する前記室内画像情報と前記インテリア画像情報とを検索して前記３Ｄ室内画像と前記３Ｄインテリア画像とを画面上に表示し、その中から選択した前記３Ｄインテリア画像を前記判定区分に前記吉が設定された前記判定情報に基づいて、前記種類を自動選択すると共に、前記３Ｄ室内画像を所定の位置に自動移動させて画面上に表示する自動レイアウト設計手段を更に備えることを特徴とする、請求項１乃至請求項４の何れか１項に記載のインテリア設置計画支援システム。
【請求項６】
前記計画端末装置は、プリンタ装置と接続され、
前記計画支援装置は、前記３Ｄインテリア画像を前記３Ｄ室内画像に設定したレイアウト画像を前記プリンタ装置に出力するレイアウト出力手段を更に備えることを特徴とする、請求項１乃至請求項５の何れか１項に記載のインテリア設置計画支援システム。
【請求項７】
室内に設置するインテリアの設置計画に於いて、請求項１乃至請求項６の何れか１項に記載のインテリア設置計画支援システムに使用される記録媒体。
【発明の詳細な説明】
【技術分野】
【０００１】
本発明は、室内に於けるインテリアの設置計画を行う計画者の設置計画を支援するシステムに関するものである。
【背景技術】
【０００２】
マンションや一戸建て等の室内に設置するインテリアの設置計画を行う際に、、個々のインテリアの平面図を形どった紙片を作成し、その紙片を室内の平面図の上に設定して、その設定変更を繰り返す方法が代表的な方法として行われている。
【０００３】
しかしながら、室内やインテリアの平面図の紙片を作成する作業は、それを業務として行っている人達ならともかく、その形やサイズの正確性が要求される為、一般の人達にとっては面倒である。
【０００４】
又、風水術の流行に伴って、風水術を利用した家相により、室内に設置したインテリアの設置診断やインテリアを室内に搬入する前の設置計画を行う人達も増えている。
【０００５】
又、類似システムとして、例えば、特開平０９−３１７２０６号に開示されている「建物リフォーム支援装置」は、家具部品を家具位置と対応する位置に描画して３次元パース図よりなるリフォーム図面を作成する発明が記載されている。
【特許文献１】特開平０９−３１７２０６号公報（第１−２頁）
【０００６】
しかしながら、リフォームの顧客に対するプレゼンテーションの為に、家具等を配置したレイアウト図を作成するものであって、個々のインテリア画像を室内画像の指定した位置に設定して、室内に於けるインテリアのレイアウトを検討する為の手段は記載されていない。
【発明の開示】
【発明が解決しようとする課題】
【０００７】
以上のような問題を解決するために本発明では、室内に於けるインテリアの設置計画を行う計画者に、その設置診断や設置計画を支援するシステムを提供することを目的とする。
【課題を解決するための手段】
【０００８】
上記目的を達成するため、請求項１に記載の発明は、室内に於けるインテリアの設置計画を行う計画者側が備える計画端末装置に、通信ネットワークを介してこの支援システムの運営機関側が備える計画支援装置を接続することで、前記計画者の前記設置計画を支援するシステムであって、
前記計画支援装置が、前記室内に前記インテリアを設置する前の３Ｄ室内画像と前記室内の方位とを含む室内画像情報と、前記室内に設置する３Ｄインテリア画像とその形の種類、色の種類、模様の種類の内、１つ以上の種類とを含むインテリア画像情報と、前記インテリアを設置した方位毎、設置位置毎、及び前記種類毎にその設置計画を判定する判定基準とその判定結果とを含む風水術に基づいた判定情報とを少なくとも登録したデータベースと、
前記計画端末装置からの指定条件に基づいて、該当する前記室内画像情報と前記インテリア画像情報とを検索して前記３Ｄ室内画像と前記３Ｄインテリア画像とを画面上に表示し、その中から選択した前記３Ｄインテリア画像の前記種類を指定すると共に、前記３Ｄ室内画像の所定の位置に移動させる指定を行って画面上に表示するレイアウト設計手段と、
前記レイアウト設計手段で前記３Ｄインテリア画像を移動させた後の前記３Ｄインテリア画像の前記方位と前記設置位置と指定した前記種類に基づいて前記判定情報を検索し、該当する前記判定結果をその画面上に表示する判定手段とを少なくとも備えることを特徴とする。
【０００９】
この請求項１の発明により、計画者は、風水術に基づいて、インテリアを室内に搬入する前の設置計画や室内に設置したインテリアの設置診断を容易に行うことができる。
【００１０】
請求項２に記載の発明は、前記３Ｄ室内画像が、出入り口部、窓部、収納部を含み、
前記計画支援装置が、前記レイアウト設計手段で前記３Ｄ室内画像を画面上に表示した後に、前記出入り口部、前記窓部、前記収納部の何れかを、所定の位置に移動、又は拡大、又は縮小、又は削除する範囲を指定して、これらの変更した３Ｄ室内画像を画面上に表示する画像変更手段を更に備えることを特徴とする。
【００１１】
この請求項２の発明により、計画者は、インテリアの設置計画にあたって、提供される３Ｄ室内画像を計画者が設置計画を行う室内の構造に合わせることによって、計画者独自の３Ｄ室内画像を作成する手間を省くことができる。
【００１２】
請求項３に記載の発明は、前記計画支援装置が、前記レイアウト設計手段で前記３Ｄ室内画像又は、前記３Ｄインテリア画像を画面上に表示した後に、その３Ｄ室内画像、又は、３Ｄインテリア画像を拡大、又は縮小する範囲を指定して、拡大、又は縮小した３Ｄ室内画像、又は、３Ｄインテリア画像を画面上に表示する画像拡大縮小手段と、
前記３Ｄ室内画像又は、前記３Ｄインテリア画像を３６０度以内の範囲で回転させる範囲を指定して、回転した３Ｄ室内画像、又は、３Ｄインテリア画像を画面上に表示する画像回転手段とを更に備えることを特徴とする。
【００１３】
この請求項３の発明により、計画者は、インテリアの設置計画にあたって、希望する方位に３Ｄインテリア画像を設定することができ、
又、提供される３Ｄインテリア画像のサイズを計画者が所有するインテリアのサイズに合わせることによって、計画者独自の３Ｄインテリア画像を作成する手間を省くことができる。
【００１４】
請求項４に記載の発明は、前記画像拡大縮小手段が、前記３Ｄインテリア画像を拡大、又は縮小して画面上に表示する際に、拡大、又は縮小した前記インテリアのサイズを表示するサイズ表示手段を含むことを特徴とする。
【００１５】
この請求項４の発明により、計画者は、設置計画で選択したインテリアを購入する際に、室内に設置可能なインテリアのサイズの範囲を前もって知ることができる。
【００１６】
請求項５に記載の発明は、前記判定情報が、前記判定結果に対する吉、凶を区分した判定区分を更に含み、
前記計画支援装置が、前記計画端末装置からの指定条件に基づいて、該当する前記室内画像情報と前記インテリア画像情報とを検索して前記３Ｄ室内画像と前記３Ｄインテリア画像とを画面上に表示し、その中から選択した前記３Ｄインテリア画像を前記判定区分に前記吉が設定された前記判定情報に基づいて、前記種類を自動選択すると共に、前記３Ｄ室内画像を所定の位置に自動移動させて画面上に表示する自動レイアウト設計手段を更に備えることを特徴とする。
【００１７】
この請求項５の発明により、計画者は、風水術からみて吉と判定されたインテリアの設置案を容易に取得することができる。
【００１８】
請求項６に記載の発明は、前記計画端末装置が、プリンタ装置と接続され、
前記計画支援装置が、前記３Ｄインテリア画像を前記３Ｄ室内画像に設定したレイアウト画像を前記プリンタ装置に出力するレイアウト出力手段を更に備えることを特徴とする。
【００１９】
この請求項６の発明により、室内にインテリアを搬入する際に、プリンタ装置に出力したインテリアのレイアウト画像を設置作業者に提示することによって、設置作業者は、その設置作業を円滑に行うことができる。
【００２０】
請求項７に記載の発明は、室内に設置するインテリアの設置計画に於いて、請求項１乃至請求項６の何れか１項に記載のインテリア設置計画支援システムに使用される記録媒体を特徴とする。
【００２１】
この請求項７の発明により、計画者は、所有するパソコン等の端末装置に通信ネットワーク機能が搭載されていない場合、本発明のインテリア設置計画支援システムに使用されるＣＤ等の記録媒体より、データやプログラムをその端末装置にインストールしてインテリアの設置計画を行うことができる。
【発明の効果】
【００２２】
以上に説明したように、本発明のインテリア設置計画支援システムによれば、室内のインテリアの設置計画を行う計画者は、風水術に基づいて、インテリアを室内に搬入する前の設置計画や室内に設置したインテリアの設置診断を、計画者独自の３Ｄ室内画像と３Ｄインテリア画像を作成することなく容易に行うことができる。
【発明を実施するための最良の形態】
【００２３】
室内に於けるインテリアの設置計画を行う計画者に、その設置診断や設置計画を支援するシステムを提供する目的を、計画端末装置とインターネットを介して接続する計画支援装置とからなる構成によって実現した。
【実施例１】
【００２４】
以下、本発明の一実施の形態を図に基づいて詳細に説明する。
図１は本発明のインテリア設置計画支援システムのシステム構成を示す模式図である。
【００２５】
図１に示すように、インテリア設置計画支援システム１００は、設置計画を行う計画者側が備えるプリンタ装置１ａを接続したパソコン等の計画端末装置１と、この計画端末装置１とインターネット２を介して接続することで、インテリア設置計画支援システムの運営機関が備える計画支援装置１０とから構成される。
【００２６】
計画支援装置１０は、インテリア設置計画支援業務を遂行するために必要な情報を登録するためのデータベース２０と、計画端末装置１からの検索要求を受信して、インターネット２を介してデータベース２０の検索結果を送信するＷｅｂサーバー１１と、データベース２０を管理するデータベースサーバー１２と、インテリア設置計画支援業務の業務処理を行うアプリケーションサーバー１３とから構成される。
【００２７】
データベース２０は、室内画像テーブル２１とインテリア画像テーブル２２と判定テーブル２３とから構成される。
【００２８】
室内画像テーブル２１は、室内にインテリアを設置する前の室内画像情報を記録するものである。
室内画像情報には、検索キー部である室内コードと、データ部に属する室内の構造上の特徴、３Ｄ室内画像、サイズ、登録年月日などの情報を格納記憶する。
室内の構造上の特徴は、洋室、和室の区別に加えて、出入り口部、窓部、収納部等の特徴が設定されている。
方位は、３Ｄ室内画像の上部が北に設定されている。
【００２９】
インテリア画像テーブル２２は、室内に設置するインテリア画像情報を記録するものである。
インテリア画像情報には、検索キー部であるインテリアコードと、データ部に属するインテリア名称、形の種類、３Ｄインテリア画像、サイズ、登録年月日などの情報を格納記憶する。
インテリア名称には、ベッド、テレビ、テーブル、植木、照明器具、カーテン等が設定される。
【００３０】
判定テーブル２３は、風水術に基づいて、インテリアを設置した方位毎、設置位置毎、及び種類毎にその設置計画を判定する際に利用される判定情報を記録するものである。
判定情報には、インテリアコードと方位と設置位置範囲と形の種類と色の種類と模様の種類とからなる検索キー部と、インテリアコードと判定区分とからなる検索キー部と、データ部に属する判定結果、登録年月日等の情報を格納記憶する。
判定区分には、吉、凶が設定される。
【００３１】
次に、計画支援装置の処理手段３０が、インターネット２を介して計画端末装置１の要求信号に応答して、データベース２０の検索更新を行う処理手順について詳細に説明する。図２は本発明の計画支援装置に於ける処理手段３０の処理の流れ図であり、処理手段３０は以下の７手段から構成される。
【００３２】
すなわち、レイアウト設計手段３１と画像拡大縮小手段３２と画像回転手段３３と画像変更手段３４と判定手段３５と自動レイアウト設計手段３６とレイアウト出力手段３７とから構成される。
また、画像拡大縮小手段３２は、サイズ表示手段３２ａを含む。
【００３３】
最初に、選択したインテリアを指定した位置に移動させる実施の形態について、３Ｄ室内画像を対象としたレイアウト設計手段３１、画像拡大縮小手段３２とサイズ表示手段３２ａと画像回転手段３３と画像変更手段３４、３Ｄインテリア画像を対象とした画像拡大縮小手段３２とサイズ表示手段３２ａと画像回転手段３３、判定手段３５、レイアウト出力手段３７の順に処理手順を詳細に説明する。
【００３４】
（１）計画端末装置１からのレイアウト設計要求信号に応答して、室内画像テーブル２１を検索して室内画像情報を取得し、取得した室内画像情報一覧が編集されているレイアウト設計・室内画像選択画面を計画端末装置１に送信する。
（２）計画端末装置１からの室内画像情報の選択を受け付けて、選択した室内画像情報に設定されている３Ｄ室内画像が編集されているレイアウト設計・室内画像拡大縮小画面を計画端末装置１に送信する。
【００３５】
３Ｄ室内画像を対象とした画像拡大縮小手段３２とサイズ表示手段３２ａの処理
（３）計画端末装置１からの３Ｄ室内画像の拡大、又は縮小する範囲の指定を受け付けて、指定した拡大、又は縮小する範囲に基づいて、拡大、又は縮小した３Ｄ室内画像のサイズを算出し、拡大、又は縮小した３Ｄ室内画像と算出したサイズとが編集されているレイアウト設計・室内画像回転（方位変更）画面を計画端末装置１に送信する。
【００３６】
３Ｄ室内画像を対象とした画像回転手段３３の処理
（４）計画端末装置１からの３Ｄ室内画像を回転する３６０度以内の範囲の指定を受け付けて、回転した３Ｄ室内画像が編集されているレイアウト設計・室内画像変更画面を計画端末装置１に送信する。
【００３７】
３Ｄ室内画像を対象とした画像変更手段３４の処理
（５）計画端末装置１からの出入り口部、窓部、収納部の何れかを所定の位置に移動、又は拡大、又は縮小、又は削除する範囲の指定を受け付けて、変更した３Ｄ室内画像と、インテリア画像テーブル２２を検索して取得したインテリア画像情報一覧と、色の種類と模様の種類の一覧とが編集されているレイアウト設計・インテリア画像、色、模様選択画面を計画端末装置１に送信する。
（６）計画端末装置１からのインテリア画像情報の選択とその色と模様の指定を受け付けて、３Ｄ室内画像と指定した色と模様に変更した３Ｄインテリア画像とが編集されているレイアウト設計・インテリア画像移動画面を計画端末装置１に送信する。
（７）計画端末装置１からの３Ｄインテリア画像を３Ｄ室内画像の所定の位置に移動する指定を受け付けて、３Ｄ室内画像上に移動した３Ｄインテリア画像が編集されているレイアウト設計・インテリア画像拡大縮小画面を計画端末装置１に送信する。
【００３８】
３Ｄインテリア画像を対象とした画像拡大縮小手段３２とサイズ表示手段３２ａの処理
（８）計画端末装置１からの３Ｄインテリア画像の拡大、又は縮小する範囲の指定を受け付けて、指定した拡大、又は縮小する範囲に基づいて、拡大、又は縮小した３Ｄインテリア画像のサイズを算出し、拡大、又は縮小した３Ｄインテリア画像と算出したサイズとが編集されているレイアウト設計・インテリア画像回転（方位変更）画面を計画端末装置１に送信する。
【００３９】
３Ｄインテリア画像を対象とした画像回転手段３３と判定手段３５の処理
（９）計画端末装置１からの３Ｄインテリア画像を回転する３６０度以内の範囲の指定を行って、３Ｄインテリア画像を回転した３Ｄインテリア画像の方位と、（７）の処理で３Ｄインテリア画像を３Ｄ室内画像の所定の位置に移動した設置位置（画面上の座標位置）と、（６）の処理で選択したインテリア画像情報に設定されている形の種類と、３Ｄインテリア画像を変更した色と模様の種類に基づいて、判定テーブル２３を検索して該当する判定情報を取得する。
（１０）３Ｄ室内画像上に於いて（９）の処理で回転した３Ｄインテリア画像と、取得した判定情報に設定されている判定結果とが編集されているレイアウト設計確認画面を計画端末装置１に送信する。
【００４０】
レイアウト出力手段３７の処理
（１１）計画端末装置１からの確認ＯＫの選択を受け付けて、３Ｄ室内画像上に於いて（９）の処理で回転小した３Ｄインテリア画像をプリンタ装置１ａに出力する。
【００４１】
次に、選択したインテリアを風水術に基づいた所定の位置に自動的に移動させる実施の形態について、３Ｄ室内画像を対象としたレイアウト設計手段３１、画像拡大縮小手段３２とサイズ表示手段３２ａと画像回転手段３３と画像変更手段３４、３Ｄインテリア画像を対象とした画像拡大縮小手段３２とサイズ表示手段３２ａ、自動レイアウト設計手段３６、レイアウト出力手段３７の順に処理手順を詳細に説明する。
【００４２】
（１）前述のレイアウト設計手段３１を中心の場合の（１）から（４）迄の処理を行う。
【００４３】
３Ｄ室内画像を対象とした画像変更手段３４の処理
（５）計画端末装置１からの出入り口部、窓部、収納部の何れかを所定の位置に移動、又は拡大、又は縮小、又は削除する範囲の指定を受け付けて、変更した３Ｄ室内画像と、インテリア画像テーブル２２を検索して取得したインテリア画像情報一覧とが編集されているレイアウト設計・インテリア画像選択、画像拡大縮小画面を計画端末装置１に送信する。
【００４４】
３Ｄインテリア画像を対象とした画像拡大縮小手段３２とサイズ表示手段３２ａの処理
（６）計画端末装置１からのインテリア画像情報の選択とその３Ｄインテリア画像の拡大、又は縮小する範囲の指定を受け付けて、指定した拡大、又は縮小する範囲に基づいて、拡大、又は縮小した３Ｄインテリア画像のサイズを算出する。
【００４５】
自動レイアウト設計手段３６の処理
（７）選択したインテリア画像情報に設定されているインテリアコードと「吉」を設定した判定区分より、判定テーブル２３を検索して該当する判定情報を取得する。
（８）選択したインテリア画像情報に設定されている３Ｄインテリア画像を取得した判定情報に設定されている色の種類と模様の種類に変更する。
（９）３Ｄ室内画像上に於いて、取得した判定情報に設定されている方位と設置位置範囲に自動配置した３Ｄインテリア画像と算出したサイズと判定結果とが編集されている自動レイアウト設計画面を計画端末装置１に送信する。
【００４６】
レイアウト出力手段３７の処理
（１０）計画端末装置１からの確認ＯＫの選択を受け付けて、３Ｄ室内画像上に於いて（９）の処理で自動配置した３Ｄインテリア画像をプリンタ装置１ａに出力する。
【００４７】
以上、本発明の一実施の形態を詳細に説明したが、本発明は、本実施の形態に限られるものではない。本発明の技術的範囲から逸脱しない範囲内で多様に変更実施することが可能である。
【産業上の利用可能性】
【００４８】
本発明は、室内に於けるインテリアの設置計画を行う計画者の設置計画を支援するシステムに於いて、その設置診断を支援するシステムに適用できる。
【図面の簡単な説明】
【００４９】
【図１】本発明のインテリア設置計画支援システムのシステム構成を示す模式図である。
【図２】本発明の計画支援装置に於ける処理手段の処理の流れ図である。
【符号の説明】
【００５０】
１  計画端末装置
１ａ  プリンタ装置
２  インターネット
１０  計画支援装置
１１  Ｗｅｂサーバー
１２  データベースサーバー
１３  アプリケーションサーバー
２０  データベース
２１  室内画像テーブル
２２  インテリア画像テーブル
２３  判定テーブル
３０  処理手段
３１  レイアウト設計手段
３２  画像拡大縮小手段
３２ａ  サイズ表示手段
３３  画像回転手段
３４  画像変更手段
３５  判定手段
３６  自動レイアウト設計手段
３７  レイアウト出力手段
１００  インテリア設置計画支援システム
【図１】
2005063059.tif 000003
【図２】
2005063059.tif 000004